(57)【要約】      （修正有）【課題】一時に多くの人が集まる商業施設やイベント会場において、携帯端末により効率よく経路案内を実行するシステムを提供する。【解決手段】経路案内システムは、位置情報を入手するＧＰＳ情報入手手段００１と、案内対象エリア１２２に設置され位置情報が登録された複数の個別位置コードタグ３から位置情報を読み取る個別位置情報読取手段００７と、現在位置から指定された目的地までの案内経路を算出する案内経路算出手段０１７と、経路案内手段０１８と、インターネットを介して通信する携帯端末通信手段１１、を有する携帯端末１と、施設情報を格納した施設情報格納手段１６１と、案内対象エリア特定手段１０４と、現在位置情報１２３を特定する位置特定手段１１０とを含み、経路案内情報を特定する経路案内特定手段２２と、位置特定手段１１０と、インターネットを介して通信するセンタ通信手段２１、を有するセンタ２を備える。【選択図】図１
2018100862.tif 000002
【特許請求の範囲】
【請求項１】
案内対象エリア内を移動する携帯端末に前記案内対象エリアに関する情報を送信する経路案内システムであって、
前記案内対象エリアの複数の位置に設置され、それぞれの個別位置情報が予め登録された複数の個別位置コードタグと、
ＧＰＳよりＧＰＳ位置情報を入手するＧＰＳ情報入手手段と、前記複数の個別位置コードタグから個別位置情報を読み取る個別位置情報読取手段と、前記案内対象エリア内の任意の位置を目的地として指定する目的地指定手段と、現在位置情を特定する現在位置特定手段により特定された現在位置から前記目的地まで案内する案内経路を算出する案内経路算出手段と、前記案内経路に基づいて前記目的地までの経路を画像表示又は音声により案内する経路案内手段と、無線通信によりインターネットを介して通信する携帯端末通信手段と、を有する携帯端末と、
前記案内対象エリアに関する施設情報を格納した施設情報格納手段と、前記施設情報に基づいて案内対象エリア情報を特定する案内対象エリア特定手段並びに前記施設情報に基づいて現在位置情報を特定する現在位置特定手段とを含む経路案内情報特定手段と、無線通信により前記インターネットを介して通信するセンタ通信手段と、を有するセンタと、を備え、
前記携帯端末は、前記携帯端末通信手段により、前記ＧＰＳ位置情報及び前記個別位置情報を前記センタに送信し、
前記センタは、前記センタ通信手段により、前記経路案内情報を前記携帯端末に送信し、
前記携帯端末は、前記携帯端末通信手段により、前記経路案内情報を受信し、
前記携帯端末は、前記センタより受信した前記経路案内情報に基づいて、前記現在位置特定手段により現在位置を特定し、前記目的地指定手段により前記目的地を指定し、
前記センタは、前記案内対象エリア特定手段により、前記携帯端末より受信した前記ＧＰＳ位置情報を前記施設情報と対比して前記案内対象エリア情報を特定し、
前記センタは、前記現在位置特定手段により、前記携帯端末から受信した前記個別位置情報を前記施設情報と対比して前記現在位置情報を特定し、
前記経路案内情報は、前記案内対象エリア情報、前記案内対象エリア地図情報、及び前記現在位置情報を含む、前記経路案内システム。
【請求項２】
前記携帯端末は、前記現在位置情報を駐車位置として指定する駐車位置指定手段と、該駐車位置指定手段により駐車位置として指定された前記現在位置情報を駐車位置情報として登録する駐車位置情報格納手段と、をさらに有する請求項１の経路案内システム。
【請求項３】
前記携帯端末は、前記現在位置情報を入場位置として指定する入場位置指定手段と、該入場位置指定手段により入場位置として指定された前記現在位置情報を入場位置として登録する入場位置情報格納手段と、をさらに有する請求項２の経路案内システム。
【請求項４】
前記携帯端末は、前記目的地情報を待合せ位置として指定する待合せ位置指定手段と、該待合せ位置指定手段により待合せ位置として指定された前記目的地情報を待合せ位置として登録する待合せ位置情報格納手段と、をさらに有する請求項３の経路案内システム。
【請求項５】
前記複数の個別位置コードタグは、それぞれの個別位置コードタグが設置された位置を検知するための個別位置情報を無線により発信する、請求項１〜４のいずれか一項に記載の経路案内システム。
【請求項６】
前記個別位置コードタグは、ＲＦＩＤタグである請求項５の経路案内システム。
【請求項７】
前記個別位置情報コードタグは、それぞれの個別位置コードタグが設置された位置を検知するための個別位置情報を前記携帯端末により光学的に読み取り可能に発信する、請求項１〜４のいずれか一項に記載の経路案内システム。
【請求項８】
前記個別位置情報コードタグは、バーコードである請求項７の経路案内システム。
【請求項９】
前記センタは、前記案内対象エリア内の他の携帯端末に、無線通信により前記携帯端末の現在位置情報又は前記待合せ位置情報を送信する位置情報通信手段をさらに含む、請求項１〜８のいずれか一項に記載の経路案内システム。
【請求項１０】
前記携帯端末は、前記駐車位置として登録された駐車位置、前記入場位置として登録された入場位置、及び前記待合せ位置として登録された待合せ位置のうちの少なくとも１つを目的地に指定して、当該目的地までの案内経路に対応する経路情報を算出する経路決定手段をさらに含む、請求項１〜９のいずれか一項に記載の経路案内システム。
【請求項１１】
前記センタは、前記特定案内対象エリアの予め登録されているリアルタイム施設情報を、前記携帯端末に送信する経路情報送信手段をさらに含み、
前記携帯端末は、前記リアルタイム施設情報に基づき前記リアルタイム施設情報を表示又は音声により通知する手段をさらに含む、請求項１〜１０のいずれか一項の経路案内システム。
【発明の詳細な説明】
【技術分野】
【０００１】
本発明は、歩行者の経路案内システムに関し、特に、目的地までの経路を携帯端末により案内する経路案内に関する。
【背景技術】
【０００２】
従来、歩行者の目的地までの経路を案内する経路案内（ナビゲーション・システム）として、ＧＰＳ（Ｇｌｏｂａｌ  Ｐｏｓｉｔｉｏｎｉｎｇ  Ｓｙｓｔｅｍ）を搭載した携帯電話機を利用して、ＧＰＳにより歩行者の位置を把握し、画像表示装置上に表示した地図情報と音声により経路を案内するシステムが知られている。
【０００３】
しかしながら、当該システムは、ＧＰＳを利用していることから、屋外では利用可能であるが、ＧＰＳ衛星からの情報を捕捉できない屋内などにおいては、経路案内を実行できない問題があった。そこで、特許文献１には、ＧＰＳを搭載しない携帯端末を利用して、当該携帯端末に案内情報を提供する経路案内システムが提案されている。また、特許文献２には、経路案内用の案内情報をユーザーの携帯端末だけでなく、経路周囲の環境内に設置された表示装置で表示するシステムも提案されている。
【０００４】
しかしながら、一時に非常に多くの人が集まり往来する商業施設やイベント会場では、一人一人のユーザーに経路周囲の環境内に設置された表示装置で表示するシステムでは対応することができない。また、これらの商業施設やイベント会場は近年では大型化しており、これらの商業施設やイベント会場の駐車場では、ユーザーが自分の車を駐車した位置を把握することにも問題があった。
【先行技術文献】
【特許文献】
【０００５】
【特許文献１】特開２００２−１６２２４６号公報
【特許文献２】特開２００２−５４９４５号公報
【発明の概要】
【発明が解決しようとする課題】
【０００６】
本発明は、一時に非常に多くの人が集まり往来する商業施設やイベント会場において、ＲＦＩＤ又はバーコードを個別位置情報として各位置に配置し、ＧＰＳ位置情報と補完することにより、安価かつ密に個別位置情報を得ることができ、携帯端末により効率よく経路案内を実行するシステムを提供することを目的とする。また、これらの商業施設やイベント会場の駐車場において、ユーザーが自分の車を駐車した位置を容易に把握することができるようにすることも目的とする。
【課題を解決するための手段】
【０００７】
本発明に係る経路案内システムは、案内対象エリア内を移動する携帯端末に案内対象エリアに関する情報を送信する経路案内システムであって、
案内対象エリアの複数の位置に設置され、それぞれの個別位置情報が予め登録された複数の個別位置コードタグと、
ＧＰＳよりＧＰＳ位置情報を入手するＧＰＳ情報入手手段と、複数の個別位置コードタグから個別位置情報を読み取る個別位置情報読取手段と、案内対象エリア内の任意の位置を目的地として指定する目的地指定手段と、現在位置情報を特定する現在位置特定手段により特定された現在位置から目的地まで案内する案内経路を算出する案内経路算出手段と、案内経路に基づいて目的地までの経路を画像表示又は音声により案内する経路案内手段と、無線通信によりインターネットを介して通信する携帯端末通信手段と、を有する前記携帯端末と、
案内対象エリアに関する施設情報を格納した施設情報格納手段と、案内対象エリアの経路案内に関する経路案内情報を特定する経路案内情報特定手段と、施設情報に基づいて案内対象エリア情報を特定する案内対象エリア特定手段と、並びに施設情報に基づいて現在位置情報を特定する現在位置特定手段とを含む経路案内情報特定手段と、施設情報に基づいて現在位置情報を特定する現在位置特定手段と、無線通信によりインターネットを介して通信するセンタ通信手段と、を有するセンタと、を備え、
携帯端末は、携帯端末通信手段により、ＧＰＳ位置情報及び個別位置情報をセンタに送信し、
センタは、センタ通信手段により、経路案内情報を携帯端末に送信し、
携帯端末は、携帯端末通信手段により、経路案内情報を受信し、
携帯端末は、センタより受信した経路案内情報に基づいて、現在位置特定手段により現在位置を特定し、目的地指定手段により、センタより受信した経路案内情報に基づいて目的地を指定し、
センタは、案内対象エリア特定手段により、携帯端末より受信したＧＰＳ位置情報を施設情報と対比して案内対象エリア情報を特定し、
センタは、現在位置特定手段により、携帯端末から受信した個別位置情報を施設情報と対比して現在位置情報を特定し、
経路案内情報は、案内対象エリア情報、案内対象エリア地図情報、及び現在位置情報を
含む、経路案内システムである。
【０００８】
本発明に係る経路案内システムであれば、一時に非常に多くの人が集まり往来する商業施設やイベント会場であっても、携帯端末毎に効率よく経路案内を実行するシステムを提供できる。
【０００９】
本発明に係る経路案内システムの携帯端末は、現在位置情報を駐車位置として指定する駐車位置指定手段と、駐車位置情報格納手段により駐車位置として指定された現在位置情報を駐車位置情報として登録する駐車位置情報格納手段をさらに有する経路案内システムである。
【００１０】
本発明に係る経路案内システムであれば、一時に非常に多くの人が集まり往来する商業施設やイベント会場であっても、車を駐車した位置を忘失して迷子になる恐れがない。
【００１１】
本発明に係る経路案内システムの携帯端末は、現在位置情報を入場位置として指定する入場位置指定手段と、入場位置指定手段により入場位置として指定された現在位置情報を入場位置として登録する入場位置情報格納手段と、をさらに有する経路案内システムである。
【００１２】
本発明に係る経路案内システムであれば、施設に入場した位置を忘失して迷子になる恐れがない。
【００１３】
本発明に係る経路案内システムの携帯端末は、目的地情報を待合せ位置として指定する待合せ位置指定手段と、待合せ位置指定手段により待合せ位置として指定された目的地情報を待合せ位置として登録する待合せ位置情報格納手段と、をさらに有する経路案内システムである。
【００１４】
本発明に係る経路案内システムであれば、他者と容易に待合せることが可能である。
【００１５】
本発明に係る経路案内システムの複数の個別位置コードタグは、それぞれの個別位置コードタグが設置された位置を検知するための個別位置情報を無線により発信する、経路案内システムである。
【００１６】
本発明に係る経路案内システムの個別位置コードタグであれば、案内対象エリア内に、案内経路を決定するために必要な位置に配置され、容易に携帯端末が個別位置情報を取得できる。
【００１７】
本発明に係る経路案内システムの個別位置コードタグは、ＲＦＩＤタグである、経路案内システムである。
【００１８】
本発明に係る経路案内システムの個別位置コードタグが、ＲＦＩＤタグであれば、安価に所望の位置に配置することができる。
【００１９】
本発明に係る経路案内システムの個別位置情報コードタグは、それぞれの個別位置コードタグが設置された位置を検知するための個別位置情報を携帯端末により光学的に読み取り可能に発信する、請経路案内システムである。
【００２０】
本発明に係る経路案内システムの個別位置情報コードタグは、携帯端末により光学的に個別位置情報を読み取り可能であり、携帯端末の光学的読み取り機能を利用することができる。
【００２１】
本発明に係る経路案内システムの個別位置情報コードタグは、バーコードである、経路案内システムである。
【００２２】
本発明に係る経路案内システムの個別位置情報コードタグが、バーコードであれば、安価に所望の位置に配置することができる。
【００２３】
本発明に係る経路案内システムのセンタは、案内対象エリア内の他の携帯端末に、無線通信により携帯端末の現在位置情報又は待合せ位置情報を送信する位置情報通信手段をさらに含む、経路案内システムである。
【００２４】
本発明に係る経路案内システムであれば、他者に待ち合わせ場所を連絡することができる。
【００２５】
本発明に係る経路案内システムの携帯端末は、 駐車位置として登録された駐車位置、入場位置として登録された入場位置、及び待合せ位置として登録された待合せ位置のうちの少なくとも１つを目的地に指定して、その目的地までの案内経路に対応する経路情報を算出する経路決定手段をさらに含む、経路案内システムである。
【００２６】
本発明に係る経路案内システムであれば、確実に駐車位置、入場位置、又は待合せ位置まで経路案内をすることができる。
【００２７】
本発明に係る経路案内システムのセンタは、特定案内対象エリアの予め登録されているリアルタイム施設情報を、携帯端末に送信する経路情報送信手段をさらに含み、
携帯端末は、リアルタイム施設情報に基づきリアルタイム施設情報を表示又は音声により通知する手段をさらに含む、経路案内システムである。
【００２８】
本発明に係る経路案内システムであれば、予め登録された現在位置周辺の施設に関する情報をリアルタイムに提供することができる。
【発明の効果】
【００２９】
本発明に係る経路案内システムであれば、一時に非常に多くの人が集まり往来する商業施設やイベント会場において、安価かつ密に個別位置情報を得ることができ、携帯端末により効率よく経路案内を実行するシステムを提供することができる。また、これらの商業施設やイベント会場の駐車場において、ユーザーが自分の車を駐車した位置を容易に把握することができるようにすることもできる。
【図面の簡単な説明】
【００３０】
【図１】図１は、本発明の実施形態に係る経路案内システムの構成を示す。
【図２】図２は、本発明の実施形態に係る経路案内システムによる目的地案内のフローチャートである。
【図３】図３は、本発明の実施形態に係るリアルタイム処理フローのフローチャートである。
【図４】図４は、本発明の実施形態に係る待合せ位置指定フローのフローチャートである。
【発明を実施するための形態】
【００３１】
以下、本発明の実施形態について説明する。
【００３２】
図１は、本実施形態に係る経路案内システム９９の構成を示す。経路案内システム９９は、案内対象エリアとして、例えば、ショッピングセンターやアウトレットモールを想定し、歩行者である来場者（ユーザー）を目的地である店舗までの経路案内を行うシステムであり、携帯端末１、センタ２及び複数の個別位置コードタグ３を備える。
【００３３】
携帯端末１は、中央処理装置（ＣＰＵ（不図示））を有する端末であり、ＣＰＵにより例えば記憶装置（不図示）に記憶された専用プログラムを実行することにより、後述する各手段を発現する。なお、携帯端末１は、本発明のための専用端末である必要はなく、これらの手段を有すれば、携帯電話器でも良い。
【００３４】
携帯端末１は、ＧＰＳよりＧＰＳ位置情報を取得するＧＰＳ位置情報入手手段００１、個別位置情報コードタグ３から無線又は光学的に個別位置情報を読み込む個別位置情報読取手段００７、無線でインターネット経由センタ２と通信する携帯端末通信手段１１、センタ２より受信した経路案内情報に基づいて現在位置を特定する現在位置特定手段０１３、センタ２より受信した経路案内情報に基づいて案内対象エリア内の任意の位置を目的地として指定する目的地指定手段０１６、現在位置から案内対象エリア内の目的地まで案内する経路を算出する案内経路算出手段０１７、及び、案内経路算出手段により算出した経路を案内する経路案内手段０１８を有する。また、携帯端末１は、現在位置情報を駐車位置として指定する駐車位置指定手段０１４、駐車位置指定手段により駐車位置として指定された現在位置情報を駐車位置情報として登録する駐車位置情報格納手段（０５１）、現在位置情報を入場位置として指定する入場位置指定手段０１５、入場位置指定手段により入場位置として指定された現在位置情報を入場位置として登録する入場位置情報格納手段（０５２）、案内対象エリア内の任意の位置を目的地として指定する目的地指定手段０１６、目的地情報を待合せ位置として指定する待合せ位置指定手段（不図示）と、待合せ位置指定手段により待合せ位置として指定された目的地情報を待合せ位置として登録する待合せ位置情報格納手段（不図示）、他のユーザーとの待合せ位置を指定する方法を選択する待合せ位置指定方法選択手段（不図示）と、をさらに有する。
【００３５】
携帯端末通信手段１１は、ＧＰＳ位置情報をセンタ２に送信するＧＰＳ位置情報送信手段００２、センタ２から案内対象エリア情報１２１を受信する案内対象エリア情報受信手段００６、個別位置コードタグ３から読み取った個別位置情報をセンタ２に送信する個別位置情報送信手段００８、センタ２より現在位置情報１２３を受信する位置情報受信手段０１２を有する。また、携帯端末通信手段１１は、他のユーザーの携帯端末１に待合せ位置０５４を送信する待合位置通信手段３２０を、さらに有する。
【００３６】
センタ２は、中央処理装置（ＣＰＵ（不図示））を有するコンピュータシステムであり、ＣＰＵにより例えば記憶装置（不図示）に記憶された専用プラグラムを実行することにより、後述する各手段を発現する。
【００３７】
センタ２は、センタ通信手段２１、経路案内特定手段２２、及び案内対象エリアに関する情報（施設情報１２４）を格納する施設情報格納手段１５１を含む。センタ通信手段２１は、ＧＰＳ位置情報送信手段００２からＧＰＳ位置情報０３１を受信するＧＰＳ位置情報受信手段１０３、個別位置情報送信手段００８から個別位置情報０３２を受信する個別位置情報受信手段１０９、案内対象エリア特定手段１０４により特定された案内対象エリア情報１２１を案内対象エリア情報受信手段００６に送信する案内対象エリア情報送信手段１０５、及び個別位置情報送信手段００８より個別位置情報０３２を受信して位置特定情報１２３を特定する位置特定手段１０９、案内対象エリア内の他の携帯端末に、無線通信により携帯端末の現在位置情報又は待合せ位置情報を送信する位置情報通信手段１１１をさらに含む。経路案内特定手段２２は、案内対象エリアを特定する案内対象エリア特定手段１０４並びに携帯端末の位置を特定する位置特定手段１１０を含む。
【００３８】
複数の個別位置コードタグ３は、案内対象エリア内複数個所の位置の壁や柱などに設置され、それぞれの位置に対応した識別情報が個別位置情報として予め記録されている。個別位置コードタグ３は、識別情報がそれぞれの位置に対応して個別位置情報として記録でき、携帯端末で個別位置情報を無線又は光学的に読み取れることができればよく、例えば、無線により読み取るのであればＲＦＩＤタグ、光学的に読み取るのであればバーコードタグ又はマトリックス型二次コードタグであれば良い。無線で個別位置情報を読み取る個別位置コードタグであれば、ユーザーは、個別位置コードタグに近接すれば個別位置情報を読み取ることが可能であり、個別位置情報を読み取る煩雑さが軽減され、好ましい。一方、光学的に読み取る個別位置コードタグであれば、ユーザーは、個別位置コードタグを目視確認する必要があるものの、確実に現在位置を認識することができる点で好ましい。
【００３９】
次に、本実施形態に係る経路案内システム９９の経路案内方法について、説明する。
【００４０】
図２は、本発明の実施形態に係る経路案内システム９９による目的地案内のフローチャートである。ユーザーが、案内対象エリアに自動車で到着し、駐車場に駐車後、携帯端末１の本実施例に係る経路案内システム９９のプログラムを起動することでフローがスタートする。
【００４１】
携帯端末１は、ステップ１において、ＧＰＳ位置情報入手手段００１を用いてＧＰＳ位置情報０３１を取得し、ステップ２において、ＧＰＳ位置情報送信手段００２により、センタ２にＧＰＳ位置情報０３１を無線で送信する。
【００４２】
センタ２は、ステップ３において、ＧＰＳ情報受信手段１０３によりＧＰＳ位置情報０３１を受信し、ステップ４において、案内対象エリア特定手段１０４により、ＧＰＳ位置情報０３１と予め登録されていた施設情報１２４とを照合して案内対象エリア情報１２１と案内対象エリア地図情報１２２を特定する。
【００４３】
次に、センタ２は、ステップ５において、案内対象エリア地情報送信手段１０５により、無線で、携帯端末１に案内対象エリア情報１２１と案内対象エリア地図情報１２２を送信する。なお、ユーザーが屋内などに居て、ＧＰＳ情報を入手できない場合には、携帯端末１は、近隣の個別位置コードタグ３から、個別位置情報３３を読み込むようメッセージを出力し、近隣の個別位置コードタグ３から読み込んだ個別位置情報３３をセンタ２に送信し、案内対象エリア情報１２１と案内対象エリア地図情報１２２を特定することもできる。
【００４４】
次に、携帯端末１は、ステップ６において、案内対象エリア情報受信手段００６により、案内対象エリア情報１２１と案内対象エリア地図情報１２２を受信する。
【００４５】
その後、ユーザーは、ステップ７において、近隣の個別位置コードタグ３から、個別位置情報読取手段００６にて個別位置情報０３２を読み取り、ステップ８において、個別位置情報送信手段００７によって個別位置情報０３２をセンタ２に送信する。
【００４６】
センタ２は、ステップ９において、個別位置情報受信手段１０８で個別位置情報０３２を受信し、ステップ１０において、施設情報格納手段１５１に格納された施設情報１２４と個別位置情報０３２とを照合し、位置特定手段１１０でその個別位置コードタグ３の位置を現在位置情報１２３として特定する。そして、センタ２は、ステップ１１において、位置特定情報通信手段１１１を用いてインターネットを経由して現在位置情報１２３を携帯端末１に送信する。
【００４７】
携帯端末１は、ステップ１２において、位置情報受信手段０１２により、センタ２より送信された現在位置特定情報１２３を受信し、ステップ１３において、現在位置特定手段０１３により、現在位置情報１２３を現在位置として特定する。
【００４８】
一方、ステップ０１４において、ユーザーが、案内対象エリアに車で来場し、車を駐車場で駐車した際に近隣の個別位置コードタグ３から個別位置情報０３１を読み取り、駐車位置情報指定手段０１４にて現在位置と駐車位置と指定した場合には、センタ２から受信した現在位置情報１２３を、駐車位置情報格納手段０５１により駐車位置として登録することができる。また、ステップ０１５において、駐車場から案内対象エリアの施設（建物）内に入場する際に、入り口付近に設けられた位置情報コードタグ３から個別位置情報０３２を読み取り現在位置情報とした場合には、センタ２から受信した現在位置情報１２３を入場位置指定手段０１５により入場位置として指定して入場位置情報格納手段０５２により登録することができる。
【００４９】
ユーザーは、ステップ１６において、携帯端末１に案内対象エリア地図情報１２２を受信後、目的地情報指定手段０１６にて、案内対象エリア内の所望の場所（店舗）を目的地として指定し、目的地情報格納手段０５３により目的地を登録する。
【００５０】
そして、携帯端末１は、ステップ１７において、経路決定手段０１７を用いて、現在地情報と目的地情報から現在地から目的地までの経路を算出し、ステップ１８において、携帯端末１が有する経路を画像または音声にて案内する経路案内手段０１８を用いてユーザーに経路を案内する。また、ユーザーが目的地までの移動中に、携帯端末１は、一定の間隔で案内対象エリア内各所に配置された各個別位置コードタグ３から各個別位置情報０３１を読み取り、経路決定手段０１７を用いて都度目的地までの経路を算出し、経路案内手段０１８により目的地まで経路を案内することができる。この経路の案内は、例えば、目的地の経路がユーザーの進行方向の右方向である場合には、右方向へと通知し、左方向であれば左方向へと通知する。また、例えば、施設に複数階層が存在し、ユーザーが目的地の階層にいない場合には、目的地の階へ移動するよう案内し、案内対象エリア内に複数の施設が存在し、ユーザーが目的地の施設内にいない場合には、目的地の施設へ移動するように案内する。なお、案内は、携帯端末１の画像表示機能を用いて視覚的に行っても良いし、音声機能を用いて音声で行っても良い。
【００５１】
図３は、リアルタイム処理フローに係るフローチャートである。案内対象エリア情報１２１には、案内対象エリア内の店舗などが予めリアルタイム検索サービスに登録している案内対象エリア内の店舗などの情報が含まれ、ユーザーに案内対象エリア内の店舗などの情報として画像表示機能又は音声機能を用いて案内することができる。
【００５２】
先ず、ユーザーは、ステップ４０１において、携帯端末１のリアルタイム処理を起動し、ステップ４０３において、ＧＰＳ位置情報入手手段００１によりＧＰＳ位置情報を入手する。次に、ステップ４０５では、携帯端末１は、ＧＰＳ位置情報送信手段００２でセンタ２にＧＰＳ位置情報を送信し、センタ２は、ＧＰＳ位置情報受信手段００３によりＧＰＳ位置情報を受信する。
【００５３】
センタ２は、ステップ４０６において、案内対象エリア特定手段１０４でＧＰＳ位置情報と予め施設情報格納手段１５１にて格納された施設情報１２４とを対比して案内対象エリアを特定する。そして、ステップ４０７において、リアルタイム検索サービスに登録している案内対象エリア内の店舗などの店舗情報が登録されているか確認し、店舗情報が登録されている場合には、センタ２は、案内対象エリア情報送信手段１０５にて店舗情報を携帯端末１に送信し、携帯端末１は、案内対象エリア情報受信手段００６にて店舗情報を受信する。
【００５４】
次に、携帯端末１は、ステップ４０８において、店舗情報を表示するか、確認のメッセージを出力し、ステップ４０９において、登録店舗情報を表示することを選択した場合には、携帯端末１の専用プログラムまたはブラウザを起動して店舗のホームページなどを表示する。これにより、ユーザーは、案内対象エリア内の店舗などの情報をリアルタイムで入手することができる。
【００５５】
他方、ユーザーが、案内対象エリア内の当初の目的から他の目的地まで移動すること希望した場合には、改めて目的地情報特定手段０１４にて新たな目的地を指定して、経路案内を開始すればよい。また、入場位置又は駐車位置まで戻ることを希望する場合には、入場位置又は駐車位置を目的地として指定し、経路案内を開始すればよい。
【００５６】
また、案内対象エリア内に所在する他のユーザーと待ち合わせを行う場合には、案内対象エリア内の任意の位置を待合位置０５４として指定する待合位置指定手段３００にて案内対象エリア内の任意の位置を待合位置０５４として指定し、他のユーザーの携帯端末１に待合せ位置０５４を送信する待合位置通信手段３２０を用いて携帯端末１から他のユーザーの携帯端末１に送信することができる。待合位置０５４を送信したユーザーおよび受信したユーザーそれぞれは、待合位置０５４を目的地として指定し、経路案内を実行すれば、待合位置で他のユーザーと待合せることができる。また、待合せ位置として現在位置を送信すれば、他のユーザーが経路案内されて現在位置まで来ることもできる。
【００５７】
図４は、待合せ位置指定フローに係るフローチャートである。ユーザーは、ステップ３１４において、他のユーザーとの待合せ位置を指定する方法を選択する待合せ位置指定方法選択手段（不図示）で待合せ位置選択方法を選択する。案内対象エリア地図を用いて待合せ位置を選択する場合には、ステップ３１７において、案内対象エリア地図上の任意の位置を案内対象エリア地図による待合せ位置選択手段にて待合せ位置を選択する。一方、ユーザーが居る位置を待合せ位置として選択する場合には、ステップ３１５において、個別位置情報読取手段００７で個別位置コードタグ３から個別位置情報０３２を読み取り、個別位置情報０３２を個別位置情報送信手段００８にてセンタ２に送信する。
【００５８】
センタ２は、ステップ３３０において、現在位置特定手段１１０を用いて、個別位置情報受信手段１０９にて受信した個別位置情報０３２と、予め施設情報格納手段１５１で格納された施設情報１２４を比較し、現在位置情報１２３を特定し、携帯端末１に現在位置情報１２３を位置特定情報送信手段１１１で送信する。
【００５９】
携帯端末１は、ステップ３１６において、現在位置特定手段０１３により、位置情報受信手段０１２で受信した現在位置情報０３２に基づき現在位置を特定する。そして、ステップ３１８において、現在位置又は案内対象エリア地図による待合せ位置選択手段にて待合せ位置を選択した待合せ位置を待合せ位置として指定の上、ステップ３１９において、待合せ位置格納手段で登録する。次に、ステップ３２０において、待合位置通信手段３２０により他のユーザーに待合せ位置を送信する。その後、待合せ位置を送信したユーザー及び待合せ位置を受信した他のユーザーは、待合せ位置を目的地指定手段０１５にて目的地を指定すれば、それぞれ待合せ位置まで経路案内がされ、待合せ位置で会うことができる。
【００６０】
なお、案内対象エリアは、商業施設やイベント会場に限られず、商業エリアであっても良い。商業エリアであれば、ユーザーは屋外の道路を移動するので、ＧＰＳ情報を容易に取得可能であり、個別情報コードタグを駐車場などの限定された場所に配置すればよく、効率よく経路案内が可能である。一方、案内対象エリア内の電車や地下鉄の駅の改札や出口に個別情報コードタグを配置すれば、ユーザーが案内対象エリアへの入場位置を容易に特定することが可能となり、目的地から駅の改札や出口まで容易に戻ることもできる。また、案内対象エリアは、空港施設であっても良い。ユーザーが空港へ到着後、先ず目的地として搭乗する航空会社を指定すれば、その航空会社のチェックカウンターまで経路案内がされ、その後、搭乗口を目的地として指定すれば、安全検査を経て搭乗口まで確実に経路安内をすることが可能である。
【産業上の利用可能性】
【００６１】
本発明は、一時に非常に多くの人が集まり往来する商業施設やイベント会場において、ＲＦＩＤ、又はバーコードを個別位置情報として各位置に配置し、ＧＰＳ位置情報と補完することにより、安価かつ密に個別位置情報を得ることができ、携帯端末により効率よく経路案内を実行するシステムを提供することができる。
【符号の説明】
【００６２】
１        携帯端末
２        センタ
３        個別位置コードタグ
１１      携帯端末通信手段
２１      センタ通信手段
２２      経路案内特定手段
００１    ＧＰＳ位置情報取得手段
００２    ＧＰＳ位置情報送信手段
００６    案内対象エリア情報受信手段
００７    個別位置情報読取手段
００８    個別位置情報送信手段
０１２    位置情報受信手段
０１３    現在位置特定手段
０１４    駐車位置指定手段
０１５    入場位置指定手段
０１６    目的地指定手段
０１７    案内経路算出手段
０１８    経路案内手段
０３１    ＧＰＳ位置情報
０３２    個別位置情報
０５１    駐車位置情報格納手段
０５２    入場位置情報格納手段
０５３    目的地情報格納手段
１０３    ＧＰＳ位置情報受信手段
１０４    案内対象エリア特定手段
１０５    案内対象エリア情報送信手段
１０９    個別位置情報受信手段
１１０    位置特定手段
１１１    位置情報送信手段
１２１    案内対象エリア情報
１２２    案内対象エリア地図情報
１２３    現在位置情報
１２４    施設情報
１５１    施設情報格納手段
３００    待合せ位置指定手段
Ｓ１      ステップ１
Ｓ２      ステップ２
Ｓ３      ステップ３
Ｓ４      ステップ４
Ｓ５      ステップ５
Ｓ６      ステップ６
Ｓ７      ステップ７
Ｓ８      ステップ８
Ｓ９      ステップ９
Ｓ１０    ステップ１０
Ｓ１１    ステップ１１
Ｓ１２    ステップ１２
Ｓ１３    ステップ１３
Ｓ１４    ステップ１４
Ｓ１５    ステップ１５
Ｓ１６    ステップ１６
Ｓ１７    ステップ１７
Ｓ１８    ステップ１８
Ｓ３１４  ステップ３１４
Ｓ３１５  ステップ３１５
Ｓ３１６  ステップ３１６
Ｓ３１７  ステップ３１７
Ｓ３１８  ステップ３１８
Ｓ３１９  ステップ３１９
Ｓ３２０  ステップ３２０
Ｓ３３０  ステップ３３０
【図１】
2018100862.tif 000003
【図２】
2018100862.tif 000004
【図３】
2018100862.tif 000005
【図４】
2018100862.tif 000006